(57)【特許請求の範囲】
【請求項１】
主幹開閉器及び複数の分岐開閉器が配設された第１取付部材と、主幹開閉器における分岐開閉器が配設される側とは逆側に配設される電流制限器が取着されるとともに第１取付部材に並設される第２取付部材と、第１取付部材及び第２取付部材が取着されるボディと、ボディに取着されるとともに第１取付部材及び第２取付部材の突き合わせ端面側が各々独立する形で着脱自在に取着される中間取付部とを備え、前記第２取付部材には、前記第１取付部材との突き合わせ端面側から突出した引掛突起及びこの引掛突起とは反対側から突出した取付片が形成され、前記中間取付部は、前記第１取付部材をねじを用いて取着するためのねじ孔を設けるとともに前記引掛突起を差込んで取着する差込孔を設けた１つの取付台から構成されてなり、前記ボディには前記取付片に形成された取付溝を介してねじを螺入する支持台が形成されてなることを特徴とする住宅用分電盤。
【請求項２】
前記ボディの底板に１つの電線挿通孔が形成され、該電線挿通孔を、第１取付部材及び第２取付部材をボディに取着した状態で第１取付部材と第２取付部材との並設方向において第１取付部材及び第２取付部材それぞれの一端に該電線挿通孔の内周縁が略一致し且つ底板を含む面内で前記並設方向に直交する方向において該電線挿通孔の内周縁と各取付部材との間に電線導体を挿通可能な開口が形成される大きさに形成してなることを特徴とする請求項１記載の住宅用分電盤。
【請求項３】
前記底板において前記電線挿通孔の周縁から前方に突設されたリブを備えることを特徴とする請求項２記載の住宅用分電盤。
【請求項４】
前記電線挿通孔は四角形状に形成され、電線挿通孔の周縁のうち前記底板を含む面内で前記並設方向に直交する方向の両側の各周縁に、中間取付部を取着するためのねじ挿通孔が前記底板を含む面内で前記並設方向に平行な方向に複数個並設されてなることを特徴とする請求項２又は請求項３記載の住宅用分電盤。
【発明の詳細な説明】
【０００１】
【発明の属する技術分野】
本発明は、住宅、アパート、店舗等に使用される住宅用分電盤に関するものである。
【０００２】
【従来の技術】
従来より、住宅用分電盤として、図１４に示すように主幹開閉器３及び複数の分岐開閉器２が配設された取付部材１４０に、電流制限器（図示せず）を配設する木板１２０を取着し、取付部材１４０の左右両側をボディ１０の両側の側板に取着したものが提案されている（特開平１０−１０８３１５号公報参照）。
【０００３】
【発明が解決しようとする課題】
上述した住宅用分電盤にあっては、主幹開閉器３や分岐開閉器２が配設された取付部材１４０に電流制限器を配設するための木板１２０が取着されているので、取付部材１４０に主幹開閉器３及び分岐開閉器２の最低限必要な機器のみを配設する場合には、木板１２０の取付スペースを省いてボディ１０自体の小型化を図った専用の取付部材１４０を作製する必要があり、部品の共通化が図れないという不具合があった。
【０００４】
また、木板１２０に電流制限器を取着した状態では、木板１２０を取着するねじが電流制限器によって隠れてしまい、電流制限器を木板１２０から外した状態でなければ木板１２０を取付部材１４０から外すことができず、電流制限器を取り替えるときには、建物の壁面にボディ１０が取着された状態で行ったり、ボディ１０から取付部材１４０を外して行ったりする必要があり、電流制限器を取り替える作業が煩わしいという不具合があった。
【０００５】
本発明は上記事由に鑑みて為されたものであり、その目的は、部品の共通化が図れるとともに電流制限器の取替作業が容易な住宅用分電盤を提供することにある。
【０００６】
【課題を解決するための手段】
請求項１の発明は、上記目的を達成するために、主幹開閉器及び複数の分岐開閉器が配設された第１取付部材と、主幹開閉器における分岐開閉器が配設される側とは逆側に配設される電流制限器が取着されるとともに第１取付部材に並設される第２取付部材と、第１取付部材及び第２取付部材が取着されるボディと、ボディに取着されるとともに第１取付部材及び第２取付部材の突き合わせ端面側が各々独立する形で着脱自在に取着される中間取付部とを備えているので、第１取付部材及び第２取付部材を備えていることにより、分電盤として最低限必要な主幹開閉器及び分岐開閉器と必要に応じて配設される電流制限器とを分離してボディに取着することができ、第１取付部材の共通化が図れる。また、第２取付部材には、第１取付部材との突き合わせ端面側から突出した引掛突起及びこの引掛突起とは反対側から突出した取付片が形成され、中間取付部は、第１取付部材をねじを用いて取着するためのねじ孔を設けるとともに引掛突起を差込んで取着する差込孔を設けた１つの取付台から構成されてなり、ボディには取付片に形成された取付溝を介してねじを螺入する支持台が形成されているので、第１取付部材及び第２取付部材の両方が１つの取付台に取着されることにより、部品点数を少なくすることができ、これらの部品をボディに取り付ける作業が容易になり、第２取付部材をねじを用いることなしに取付台に取着することができ、取付作業が容易になる。
【００１０】
請求項２の発明は、請求項１の発明において、前記ボディの底板に１つの電線挿通孔が形成され、該電線挿通孔を、第１取付部材及び第２取付部材をボディに取着した状態で第１取付部材と第２取付部材との並設方向において第１取付部材及び第２取付部材それぞれの一端に該電線挿通孔の内周縁が略一致し且つ底板を含む面内で前記並設方向に直交する方向において該電線挿通孔の内周縁と各取付部材との間に電線導体を挿通可能な開口が形成される大きさに形成してあるので、ボディの後面側から電線導体を挿通させやすく、電線導体の引き回しが容易になり、第１取付部材及び第２取付部材に配設された各機器への電線導体の接続作業が容易となり、また、放熱効果を向上させることができる。
【００１１】
請求項３の発明は、請求項２の発明において、前記底板において前記電線挿通孔の周縁から前方に突設されたリブを備えるので、電線が電線挿通孔の周縁に当接した際に電線の被服が破れるのを防止することができ、また、電線挿通孔の周縁の厚みが底板の他の部位よりも厚くなるから、比較的大きな電線挿通孔を形成しながらもボディの剛性を高めることができる。
【００１２】
請求項４の発明は、請求項２又は請求項３の発明において、前記電線挿通孔は四角形状に形成され、電線挿通孔の周縁のうち前記底板を含む面内で前記並設方向に直交する方向の両側の各周縁に、中間取付部を取着するためのねじ挿通孔が前記底板を含む面内で前記並設方向に平行な方向に複数個並設されているので、第１取付部材及び第２取付部材の並設方向における長さに応じた位置のねじ挿通孔に中間取付部を取り付けて該中間取付部に第１取付部材及び第２取付部材を取着することができ、第１取付部材及び第２取付部材の並設方向の全体の長さを同一として、前記並設方向における第１取付部材及び第２取付部材の各々の長さを変更でき、ボディの共通化を図ることができる。
【００１３】
【発明の実施の形態】
（本願発明の前提となる提案例）
以下、本願発明の前提となる提案例を図１ないし図１０を参照しながら説明する。
【００１４】
本提案例の住宅用分電盤は、図１ないし図３に示すように、矩形枠状に形成され底板１０ａの外周縁の全周にわたって周壁１０ｂが前方に突設された形状に形成されたボディ１０と、ボディ１０の前面側に結合されるカバー１１とで筐体が構成される。
【００１５】
なお、カバー１１には、開閉自在な外蓋８４が設けられるとともに、外蓋８４を開いた状態で回路遮断器よりなる主幹開閉器３の一部を露出させる窓孔８５、回路遮断器よりなる分岐開閉器２の一部を露出させる窓孔８２、回路遮断器よりなる一次送り開閉器９０の操作部Ｈを露出させる窓孔８６などが形成された中蓋８３が設けられている。
【００１６】
ボディ１０内には、主幹開閉器３及び複数の分岐開閉器２が配設された第１の取付部材、第１の取付部材の一端側が取着される取付台７７、第２取付部材たる木板１２０が取り付けられた木板取付台８８などが収納されている。ここに、取付台７７と木板取付台８８とで、第１取付部材及び第２取付部材の突き合わせ端面側が各々独立する形でボディ１０に着脱自在に取着される中間取付部を構成している。なお、分岐開閉器２は主幹開閉器３の二次側（出力側）に入力側が電気的に接続されている。一次送り開閉器９０は、各需要家内に設けられた火災報知器や消火設備等の非常用機器への電源を確保するできるように設けた非常電源系に挿入されるものであり、入力側が主幹開閉器３の一次側（電源側）に送り線１０４，１０５などを介して電気的に接続されている。
【００１７】
ここに、分岐開閉器２は、図３に示すように、ボディ１０内において、上下２列に配設され、各列には６台が並設される。これらの上下２列間には後述の３つの導電バー３１，３２，３３が分岐開閉器２の並設方向に延長するように配置される。なお、上列の分岐開閉器２は上側に出力端子が位置し、下列の分岐開閉器２は下側に出力端子が位置する。
【００１８】
ところで、主幹開閉器３及び複数の分岐開閉器２が配設されるた第１取付部材は、ボディ１０に取り付けられる。この第１取付部材は、図７ないし図１０に示すように、両側縁が図７において上方向に折り曲げられた鉄板からなりボディ１０内で図３における上下に間隔をあけて横方向に並行配設される２つの基台４，４と、これら基台４，４間に橋絡するように配設される鉄板製の取付ベース５と、基台４，４間の間隙に対応するように凹ませた取付ベース５の中央凹部５ｂ内に配設される樹脂製の導電バー用取付ベース６と、この導電バー用取付ベース６の上と基台４上に被るように夫々配置された取付ベース５の側片５ａとに亙るように配設される分岐開閉器固定用の樹脂製の固定ベース７と、基台４，４の一端部に側端部が固定されて側方に配置される鉄板製の主幹開閉器用固定ベース８とから成る。
【００１９】
取付ベース５は図７に示すように中央凹部５ｂをボディ１０方向に凹ませ、この中央凹部５ｂの両側より側方に延長した各側片５ａを基台４の両側の折り曲げ片４ａの端面上に載せ、各側片５ａに設けた挿通孔１４を介して固定ねじ１５を基台４側のねじ孔１６に締結することで両側の基台４，４間に橋絡するように固定され、中央部５ｂは基台４，４間に嵌まることになる。
【００２０】
導電バー用取付ベース６は上記中央凹部５ｂ内に配置されるもので、中央凹部５ｂの両側に穿孔された係止孔５９に係合する係止爪６０を突出させてあって、係止爪６０を係止孔５９に係止させることで位置決めされる。また、各導電バー用取付ベース６の一端側には夫々中性極Ｎの導電バー３１を支持するための支持ポスト１３を一体突設してある。
【００２１】
導電バー３１は、図８及び図９に示すように、両端部に形成した取付片３１ａに穿設した挿通孔３１ｂを介して固定ねじ３７を支持ポスト１３の上端部の凹部３４に収納固定されるナット（図示せず）に締結することで支持ポスト１３，１３間に橋絡配置される。
【００２２】
また支持ポスト１３，１３間を結ぶ中央部の両側の平面部がＬ１，Ｌ２の電圧極の導電バー３２，３３を配置する配置部位となり、これらの配置部位の側方の上面には固定ベース７を支持するピン１９を所定間隔で両端方向に一体立設してある。
【００２３】
また支持ポスト１３，１３間には導電バー３２，３３から一体に延長形成された一対の脚片２０，２１ごとに分離する分離壁２２と、脚片２０，２１の基部２８を沿わせるリブ２３とを突設してある。なお、この脚片２０とこの脚片２１とが夫々分岐開閉器２の一端側に設けた後述する電圧極用端子接続部に差し込み接続される分岐開閉器接続部を構成する。
【００２４】
導電バー３２，３３は固定ベース７が配設される前に、導電バー用取付ベース６上の夫々の配置部位に配置固定される。
【００２５】
導電バー３２，３３は同一形状に形成されており、対称配置されるようになっているもので、両端には固定ねじ２４を挿通する挿通孔２５が設けられ、固定ねじ２４を挿通孔２５を介して、導電バー用取付ベース６の凹部２６内に配置されるナット（図示せず）に締結することで固持されるようになっている。
【００２６】
固定ベース７は導電バー３２，３３を導電バー用取付ベース６に配設した後に導電バー用取付ベース６と取付ベース５の側片５ａ上に亙るよう配設される。この際固定ベース７の裏面より突出形成している係止爪２９を側片５ａに形成している係止孔３０に挿入係止して固定ベース７は固定される。
【００２７】
この固定ベース７の上面には分岐開閉器２の器体の両側面を挟み込むようにして位置決めをする位置決め突起３５と、図６に示すように上記電圧極用端子接続部を設けた一端部とは反対側の器体の他端部の両側面の下部に側方と下端とが開口した逆Ｌ状の凹所３６に該凹所３６の下面開口より挿入され、分岐開閉器２の移動により水平片により構成される引掛部３９を凹所３６の横凹部により形成される被引掛部５３に挿入して引掛部３９の下面に形成した凹み嵌合部３９ａに被引掛部５３の底部に形成した凸嵌合部５３ａを嵌合して引掛係止する逆Ｌ状の突起５４とを配列する分岐開閉器２数に対応して一体に突設してある。
【００２８】
主幹開閉器用固定ベース８は基台４，４の一端部に一側部より突出させた固定片４０を固定ねじ６１で基台４，４の端部に固定し、他側部より突出させた取付片４０’を固定ねじ６１’でボディ１０に固定することでボディ１０内に配設され、その上面には主幹開閉器３を螺子固定する。
【００２９】
主幹開閉器３の負荷側端子はＬ１、Ｌ２の電圧極及び中性極Ｎの導電バー４４、４５及び４６を介して各導電バー３２，３３及び３１に接続される。この接続は主幹開閉器３側の各導電バー３２，３３、３１の端部に各導電バー４４、４５，４６の端部を重ねて固定ねじ２４，２４，３７により固定されることで行われる。
【００３０】
また支持ポスト１３，１３間に橋絡配設された導電バー３１の上面には、両側に配置される分岐開閉器２の上面に臨む弾性突出片４７を有した係止部材４８（図６および図９参照）を取着してある。
【００３１】
この係止部材４８は合成樹脂成形品からなり、両側の夫々３台の分岐開閉器２に対応するもので、導電バー３１には２組配置されるようになっており、各係止部材４８は導電バー３１に穿設してある丸孔５６に圧入される突起（図示せず）を下面に一体突設し、夫々揺動自在に一端が連結片により支持された弾性突出片４７（図６参照）を両側に３つずつ一体形成しある。そして、導電バー３１に取り付けられた時に、夫々の弾性突出片４７の先端部が正規位置に配置される分岐開閉器２の内側位置の上面に臨むように突出するようになっており、夫々の先端部両側には分岐開閉器２の内側位置の上面に並設した２つの突起状の被係止部５７に係止する係止部５８を側方に突出形成してある。
【００３２】
分岐開閉器２は以上のように構成される第１取付部材がボディ１０に取り付けられた状態において固定ベース７上に固定配設されるのである。
【００３３】
ここで本提案例に用いられる分岐開閉器２は内部に２極の開閉機構部を内蔵するもので、図６に示すように器体の一端部側に上、中、下の三段（図６における右側が上段で左側が下段）に導電バーの分岐開閉器接続部が挿入される導電バー差し込み口４１，４２，４３を開口しており、上段の導電バー差し込み口４１の高さ位置は固定ベース７に配設したときに丁度最上段の導電バー３１の高さ位置に対応し、また中段の導電バー差し込み口４２は導電バー３２或いは３３の脚片２１の高さ位置に対応し、更に下段の導電バー差し込み口４３は、導電バー３２或いは３３の脚片２０の高さ位置に対応している。
【００３４】
そして本例では上段の導電バー差し込み口４１内には図６に示すように中性極Ｎの導電バー３３側縁からなる分岐開閉器接続部を差し込み接続する端子接続部たる受け刃５１を配置し、中段及び下段の何れかの導電バー差し込み口４２、４３の一方にＬ１或いはＬ２の電圧極の導電バー３２，３３の分岐開閉器接続部２１或いは２０を差し込む受け刃５２を配設し、他方を受け刃が配設されていない収納部としている。なお、電圧極に対応する受け刃５２は導電バー差し込み口４２或いは４３の何れかの位置へ移動させることできるようになっており、上下二列に配列される分岐開閉器２群において、負荷バランスをとるように接続するＬ１及びＬ２の電圧極を容易に選択できるようになっている。
【００３５】
而して分岐開閉器２を固定ベース７に配設固定するに当たっては、分岐開閉器２を配設したい位置の固定ベース７上の一対の突起３５，３５間に導電バー差し込み口側の一端部の器体下部を嵌めるとともに、他端部側の器体両側側面の凹所３６の下部開口より突起５４を凹所３６内に嵌めて固定ベース７上に載置し（この時、係止部材４８の対応する弾性突出片４７の先端部が分岐開閉器２の上面に臨む）、この状態で分岐開閉器２を導電バー配置位置方向に直線移動させると、導電バー差し込み口４１に中性極Ｎの導電バー３１の側縁たる分岐開閉器接続部が挿入されて受け刃５１の開口に臨み、また中段の導電バー差し込み口４２にはＬ１或いはＬ２の電圧極の導電バー３１或いは３２の脚片２１が挿入され、さらに下段の導電バー差し込み口４３にはＬ２或いはＬ１の電圧極の導電バー３２或いは３１の脚片２０が挿入されることになり、導電バー差し込み口４３内に配置されている受け刃５２に脚片２０が臨むことになる。
【００３６】
一方、分岐開閉器２の直線移動に伴って係止部材４８の対応する弾性突出片４７の係止部５８下面の傾斜面５８ａが回路遮断器２の上面に形成した被係止部５７の傾斜面５７ａに当接し、この状態からさらに分岐開閉器２を移動させると弾性突出片４７の弾性変形を伴いながら係止部５８の傾斜面５８ａが被係止部５７の傾斜面５７ａ上をスライドしながら乗り上げて、やがて被係止部５７を乗り越えることになり、弾性突出片４７が弾性で元に戻る。従って分岐開閉器２の被係止部５７が係止部５８に係止されることになる。これにより分岐開閉器２が外側方向（受け刃から導電バーが引き抜かれる方向）へ移動するのを規制する。一方、凹所３６に下方から嵌まった突起５４に設けられた引掛部３９は分岐開閉器２の移動に伴って被引掛部５３内に挿入され、やがて引掛部３９の下面に設けた嵌合凹部３９ａが被引掛部５３の下面に設けた嵌合凸部５３ａに凹凸嵌合することになる。この凹凸嵌合時に所謂クリック感が作業者に与えられ、分岐開閉器２が定位置、つまり受け刃５１，５２に導電バー３１、３２或いは３３の分岐開閉器接続部が完全に差し込まれた位置に移動したことを作業者に分からしめ、結果受け刃５１，５２に対する分岐開閉器接続部の差し込み量のばらつきを抑えることができるのである。そして被引掛部５３と引掛部３９との凹凸嵌合により、分岐開閉器２の上方向、つまり固定ベース７の面に対して垂直方向への移動を規制する。また引掛部３９及び突起５４は凹所３６及び被引掛部５３内に納まるため、隣接配置する分岐開閉器２との間の隙間を少なくすることができる。
【００３７】
このようにして簡単に分岐開閉器２を分電盤の筐体内の固定ベース７上に取り付け且つ電気的に接続することができることになる。
【００３８】
また、主幹開閉器用固定ベース８には、一次送り開閉器９０が配設される取付具６４が固定ねじ６７を用いて取着される。取付具６４は、固定ベース８に向かう側に折曲された折曲片６４ａを有する鉄板よりなり、主幹開閉器３側に位置する折曲片６４ａからは上記固定ねじ６７が挿通される挿通孔６６が穿孔された固定片６４ｂが延設されている。一方、固定ベース８には、上記固定ねじ６７の先端部が挿通される挿通孔１３０が設けられている。また、取付具６４には、一次送り開閉器９０の両側面にそれぞれ当接して一次送り開閉器９０の図３における左右方向の位置決めを行う位置決め片６５が一体に突設してある。
【００３９】
さらに、取付具６４の一端からは一次送り開閉器９０の器体の一端面の下部に形成された引掛孔９４に引掛ける引掛爪６８が一体に突設してあり、さらに取付具６４の他端側には主幹開閉器３と一次送り開閉器９０とを電気的に接続する接続変換装置の端子台１１０を固定ねじ１１２を用いて固定するために上記固定ねじ１１２が挿通される挿通孔６９が形成されている。ここに、端子台１１０には、上記固定ねじ１１２が挿通される挿通孔１１１ａ，１１１ａが夫々形成された取付片１１１，１１１’が突設してあり、さらに、主幹開閉器３からの送り線１０４，１０５（図３参照）がそれぞれ接続されるとともに一次送り開閉器９０に電気的に接続される一対の接続端子が設けられている。この一方の接続端子は、送り線１０５を接続する端子ねじ１０６が螺合するねじ孔（図示せず）が形成されたねじ接続部１０７と、一次送り開閉器９０の器体の他端部側に開口された差込口９１，９２にそれぞれ差し込まれる差込刃１０１，１０２とが連続一体に形成されている。他方の接続端子は、送り線１０４を接続する端子ねじ１０６が螺合するねじ孔（図示せず）が形成されたねじ接続部１０９と、一次送り開閉器９０の器体の他端部側に開口された差込口１０３に差し込まれる差込刃１０３とが連続一体に形成されている。要するに、図１０における上段の差込口９１の高さ位置は一次送り開閉器９０及び端子台１１０を取付具６４に配設したときに丁度最上段の差込刃１０１の高さ位置に対応し、また中段の差込口９２は差込刃１０２の高さ位置に対応し、更に下段の差込口９３は、差込刃１０３の高さ位置に対応している。
【００４０】
そして本例では上段及び中段のいずれかの差込口９１，９２内の一方に受け刃（図示せず）を配置し、他方を受け刃が配設されていない収納部としている。また、下段の差込口９３内には受け刃（図示せず）が配置されている。
【００４１】
而して一次送り開閉器９０を取付具６４に配設固定するに当たっては、一次送り開閉器９０の器体の取付具６４の一対の位置決め片６５で一次送り開閉器９０の器体の一端面の下部に形成された引掛孔９４に取付具６４の引掛爪６８を引掛けて器体の両側面をそれぞれ位置決め片６５に当接させた状態で、端子台１１０から突出した差込刃１０１，１０２，１０３それぞれを対応する差込口９１，９２，９３に差し込んだ後、端子台１１０を上記固定ねじ１１２により取付具６４に固定することで、一次送り開閉器９０及び端子台１１０が取付具６４に対して固定されることになる。
【００４２】
取付台７７は、上端部及び下端部それぞれに突設した各取付片９８に設けた取付穴９８ａを介して固定ねじ１００を底板１０ａのねじ挿通孔７２に締結することで固定される。一方、第１取付部材の他端側は、上記固定片４０’に形成された取付孔５０’の溝部に固定ねじ６１’を挿通させ取付台４０の前面に形成された挿通孔９７に固定ねじ６１’を締結することで取付台７７に取着される。なお、取付台４０のうち上方に位置する挿通孔９７の下方の位置には取付孔５０’の大径部に嵌合する嵌合突起９９が突設されている。
【００４３】
また、木板取付台８８は、上端部及び下端部それぞれに突設した各取付片１１４に設けた取付穴１１４ａを介して固定ねじ７９を底板１０ａのねじ挿通孔７２に締結することで固定される。一方、図３における木板取付台８８の左端の側面からは木板取付台８８を固定ねじ８９を用いてボディ１０に取着するための取付溝８８ｂが形成された取付片８８ａが一体に突設されている。したがって、固定ねじ８９を取付溝８８ｂを介して底板１０ａから前方に突設された支持台６３に螺入することで木板取付台８８の一端側をボディ１０に取着することができるのである。
【００４４】
ところで、ボディ１０の底板１０ａの中央部には四角形状（矩形状）に開口した電線挿通孔７０が形成されている。また、底板１０ａには左右２個ずつの取付部たる支持台７５，７５が前方に突設されている。上側に位置する各支持台７５の周囲にはそれぞれ断面Ｌ字状であって矩形領域の角部をなすように配列されたガイド壁７４が形成され、下側に位置する各支持台７５の周囲にはそれぞれ断面Ｌ字状であって矩形領域の角部をなすように配列されたガイド壁７３が形成されている。上側の支持台７５には下方に隣接して底板１０ａからの突出寸法が支持台７５よりもやや大きい抜け止めボス６２が形成されている。また、下側の支持台７５の周囲に設けたガイド壁７３の前端側には下半分程度の受け片７３ａが連続一体に形成されている。ここに、底板１０ａから受け片７３ａまでの距離は底板１０ａから支持台７５の先端面までの距離よりもやや大きく設定されている。
【００４５】
また、底板１０ａにおける電線挿通孔７０の周縁には全周にわたって前方に突出するリブ７１が形成されており、このリブ７１によって電線挿通孔７０の周部が補強されている。
【００４６】
ボディ１０に形成した図３における右側の支持台７５には、第１取付部材の一端側が取り付けられる。ここに、第１取付部材の各基台４，４の一端部が図１における右側の各支持台７５，７５に載置されるとともに、支持台７５，７５に螺入される取付ねじ１２を用いてボディ１０に固定される。ここに、各基台４，４の一端部には、取付ねじ１２の頭部の直径よりも大きい丸孔状の大径部の上縁の一部に取付ねじ１２の直径よりも幅狭の溝部が連続する鍵穴状に形成された取付孔９が形成されている。したがって、取付ねじ１２を支持台７５に緩く螺入した状態で、取付ねじ１２の頭部に取付孔９の大径部を通し、取付ねじ１２の頭部を溝部に対応する部位までスライドさせた後に取付ねじ１２を締め付けることによって基台４をボディ１０に対して固定するようになっている。また、上述のように支持台７５，７５の周囲にはガイド壁７４，７３が形成されているから、第１取付部材の取付部材の取付位置をガイド壁７４，７３に合わせることで位置決めが容易にでき、その上、下側のガイド壁７３には受け片７３ａが形成されているから、取付孔９の溝部に取付ねじ１２を挿入した状態では、取付孔９の大径部に抜け止めボス６２が挿入されるように抜け止めボス６２の位置が設定されている。
【００４７】
要するに、本提案例においては、第１取付部材の左右方向の一端側を取付部に取着するとともに、第１取付部材の他端側を取付台７７に取着することにより第１取付部材を固定でき、第１取付部材の左右方向の長さに応じて取付台７７を取り付けることで取付部材の左右方向の長さが異なる第１取付部材であってもボディ１０を共通化することができ、低コストが図れるとともに部品管理が容易になる。また、ねじ取付孔７２は、分岐開閉器２の並設方向における分岐開閉器２の幅寸法に対応する間隔で左右方向に並設されているので、第１取付部材の左右方向の長さを並設する分岐開閉器２の数に応じて作製することが可能となり、第１取付部材の作製作業が容易となる。
【００４８】
以上説明した本提案例の住宅用分電盤では、第１取付部材及び第２取付部材を備えていることにより、分電盤として最低限必要な主幹開閉器３及び分岐開閉器２と必要に応じて配設される電流制限器とを分離してボディ１０に取着することができ、第１取付部材の共通化が図れる。また、第１取付部材及び第２取付部材の突き合わせ端面側が各々独立する形でボディ１０に着脱自在に取着される中間取付部を備えていることにより、第１取付部材をボディ１０に取り付けた状態で第２取付部材をボディ１０に取り付けることができるので、第２取付部材のみをボディ１０から取り外した状態で電流制限器を取り替えることができ、電流制限器の取替作業が容易となる。ここに、本提案例では、中間取付部を、第１取付部材及び第２取付部材が各々独立して取着される２つの取付台から構成しているので、第１取付部材及び第２取付部材等を各々取付台ごとにボディ１０から取り外すことができ、第１取付部材や第２取付部材を取付台ごと取り替える作業が容易となる。
【００４９】
また、電線挿通孔７０が、ボディ１０に第１取付部材及び第２取付部材が取り付けられた状態で電線挿通孔７０の内周縁と各分岐開閉器２の出力端子との間に電線を挿通可能な開口が形成され且つ第１取付部材の右側端と第２取付部材の左側端とがそれぞれ電線挿通孔７０の周縁に略一致するような大きさに形成されているので、ボディ１０の後面側からボディ１０内への電線導体７６（図５参照）の挿通作業が容易となって、第１取付部材及び第２取付部材に配設された各機器への電線導体７６の接続作業が容易となり、また、放熱効果を向上させることができる。しかも、底板１０ａにおいて電線挿通孔７０の周縁から前方に突設されたリブ７１を備えているので、電線導体７６が電線挿通孔７０の周縁に当接した際に電線導体７６の被服が破れるのを防止することができ、また、電線挿通孔７０の周縁の厚みが他の部位よりも厚くなるから、比較的大きな電線挿通孔７０を形成しながらもボディの剛性を高めることができる。なお、図５中の電線導体７６は分岐開閉器２の出力端子に接続されている。
【００５０】
さらに、第１取付部材及び第２取付部材が底板１０ａよりも前面側に突出した状態でボディ１０に取り付けられるから、電線導体を予め電線挿通孔７０を通してボディ１０内に挿通した状態で電線導体の挿通位置によらず第１取付部材及び第２取付部材をボディに取り付けることがができ、取付作業が容易になる。
【００５１】
また、電線挿通孔７０が四角形状に形成され、電線挿通孔７０の周縁にねじ挿通孔７２が左右方向に並設されているので、第１取付部材及び第２取付部材の並設方向における長さに応じた位置のねじ挿通孔７２に中間取付部を取り付けて該中間取付部に第１取付部材及び第２取付部材を取着することができ、第１取付部材及び第２取付部材の並設方向の全体の長さを同一として、前記並設方向における第１取付部材及び第２取付部材の各々の長さを変更でき、ボディ１０の共通化を図ることができる。
【００５２】
（実施形態１）
本実施形態の住宅用分電盤の基本構成は上記提案例と略同じであって、図１１ないし図１３に示すように、木板取付台８８が取付台７７に着脱自在に取着される点が相違する。ここに、本実施形態では、中間取付部が取付台７７により構成されている。なお、上記提案例と同様の構成要素には同一の符号を付して説明を省略する。
【００５３】
本実施形態では、取付台７７において図１２における左側の側面には図１３に示すように木板取付台８８の右側の側面から突設された引掛突起９５が挿入される２つの引掛孔９６が形成されている。木板取付台８８を取付台７７に取着するには、引掛突起９５を引掛孔９６の幅広部９６ａから挿入し木板取付台８８を図１３における下方に移動させる引掛突起９５を引掛孔９６の幅細部９６ｂの開口周縁に重複させることで引掛係止すればよい。
【００５４】
而して、本実施形態では、前記中間取付部を、第１取付部材及び第２取付部材の両方が取着される１つの取付台７７から構成しているので、第１取付部材及び第２取付部材の両方が１つの取付台７７に取着されることにより、部品点数を少なくすることができ、これらの部品をボディ１０に取り付ける作業が容易になる。
【００５５】
【発明の効果】
請求項１の発明は、主幹開閉器及び複数の分岐開閉器が配設された第１取付部材と、主幹開閉器における分岐開閉器が配設される側とは逆側に配設される電流制限器が取着されるとともに第１取付部材に並設される第２取付部材と、第１取付部材及び第２取付部材が取着されるボディと、ボディに取着されるとともに第１取付部材及び第２取付部材の突き合わせ端面側が各々独立する形で着脱自在に取着される中間取付部とを備えているので、第１取付部材及び第２取付部材を備えていることにより、分電盤として最低限必要な主幹開閉器及び分岐開閉器と必要に応じて配設される電流制限器とを分離してボディに取着することができ、第１取付部材の共通化が図れる。また、第２取付部材には、第１取付部材との突き合わせ端面側から突出した引掛突起及びこの引掛突起とは反対側から突出した取付片が形成され、中間取付部は、第１取付部材をねじを用いて取着するためのねじ孔を設けるとともに引掛突起を差込んで取着する差込孔を設けた１つの取付台から構成されてなり、ボディには取付片に形成された取付溝を介してねじを螺入する支持台が形成されているので、第１取付部材及び第２取付部材の両方が１つの取付台に取着されることにより、部品点数を少なくすることができ、これらの部品をボディに取り付ける作業が容易になり、第２取付部材をねじを用いることなしに取付台に取着することができ、取付作業が容易になるという効果がある。
【００５９】
請求項２の発明は、請求項１の発明において、前記ボディの底板に１つの電線挿通孔が形成され、該電線挿通孔を、第１取付部材及び第２取付部材をボディに取着した状態で第１取付部材と第２取付部材との並設方向において第１取付部材及び第２取付部材それぞれの一端に該電線挿通孔の内周縁が略一致し且つ底板を含む面内で前記並設方向に直交する方向において該電線挿通孔の内周縁と各取付部材との間に電線導体を挿通可能な開口が形成される大きさに形成してあるので、ボディの後面側から電線導体を挿通させやすく、電線導体の引き回しが容易になり、第１取付部材及び第２取付部材に配設された各機器への電線導体の接続作業が容易となるという効果があり、また、放熱効果を向上させることができるという効果がある。
【００６０】
請求項３の発明は、請求項２の発明において、前記底板において前記電線挿通孔の周縁から前方に突設されたリブを備えるので、電線が電線挿通孔の周縁に当接した際に電線の被服が破れるのを防止することができるという効果があり、また、電線挿通孔の周縁の厚みが底板の他の部位よりも厚くなるから、比較的大きな電線挿通孔を形成しながらもボディの剛性を高めることができるという効果がある。
【００６１】
請求項４の発明は、請求項２又は請求項３の発明において、前記電線挿通孔は四角形状に形成され、電線挿通孔の周縁のうち前記底板を含む面内で前記並設方向に直交する方向の両側の各周縁に、中間取付部を取着するためのねじ挿通孔が前記底板を含む面内で前記並設方向に平行な方向に複数個並設されているので、第１取付部材及び第２取付部材の並設方向における長さに応じた位置のねじ挿通孔に中間取付部を取り付けて該中間取付部に第１取付部材及び第２取付部材を取着することができ、第１取付部材及び第２取付部材の並設方向の全体の長さを同一として、前記並設方向における第１取付部材及び第２取付部材の各々の長さを変更でき、ボディの共通化を図ることができるという効果がある。
【図面の簡単な説明】
【図１】本願発明の前提となる提案例を示す分解斜視図である。
【図２】同上の外扉を開いた状態の一部破断正面図である。
【図３】同上のカバーを取り外した状態の正面図である。
【図４】同上の側断面図である。
【図５】同上の側断面図である。
【図６】同上の要部拡大断面図である。
【図７】同上の要部分解斜視図である。
【図８】同上の要部分解斜視図である。
【図９】同上の要部分解斜視図である。
【図１０】同上の要部分解斜視図である。
【図１１】実施形態１を示す分解斜視図である。
【図１２】同上のカバーを取り外した状態の正面図である。
【図１３】同上の要部分解斜視図である。
【図１４】従来例を示す要部正面図である。
【符号の説明】
２  分岐開閉器
３  主幹開閉器
１０  ボディ
７７  取付台
８８  木板取付台
【図１】
0003622603.tif 000002
【図２】
0003622603.tif 000003
【図３】
0003622603.tif 000004
【図４】
0003622603.tif 000005
【図５】
0003622603.tif 000006
【図６】
0003622603.tif 000007
【図７】
0003622603.tif 000008
【図８】
0003622603.tif 000009
【図９】
0003622603.tif 000010
【図１０】
0003622603.tif 000011
【図１１】
0003622603.tif 000012
【図１２】
0003622603.tif 000013
【図１３】
0003622603.tif 000014
【図１４】
0003622603.tif 000015